(57)【特許請求の範囲】
【請求項１】
テーブルにおける天板等の下部に設けられた中央支柱と、その下端近傍に一端が固着された脚杆と、からなる脚本体に対して、前記中央支柱と脚杆との固着部分を被冠する筒状の脚部カバーであって、
前記脚部カバーは、少なくとも縦方向に２ピースに分割可能に形成されるとともに、前記各ピースの分割面には、これら分割面をそれぞれ係合させるための係合手段が設けられていることを特徴とする脚部カバー。
【請求項２】
前記脚部カバーの下端には、前記脚杆に遊嵌可能な切欠きが形成され、この切欠きの開口近傍の縁部の少なくとも一方に、脚杆の下方に入り込む突出部が形成されている請求項１に記載の脚部カバー。
【請求項３】
前記係合手段が、弾性変形可能な爪部材で形成されている請求項１に記載の脚部カバー。
【請求項４】
前記各ピースが、同形状の部材で構成され、各ピースの連結によって筒状の脚カバーが形成されるようになっている請求項１に記載の脚部カバー。
【発明の詳細な説明】
【０００１】
【発明の属する技術分野】
本発明は、テーブル等における脚の一部に取付けられる脚部カバーに関する。
【０００２】
【従来の技術】
図６に示すように、テーブル等における天板０１の下部に中央支柱０２を設け、その下端近傍に、一端を溶接により固着した脚杆０３を、放射状に広がるように複数設けた家具の脚部構造がある。
【０００３】
このような構造の場合、中央支柱０２と脚杆０３との固着部分が外部に露呈して外観が悪くなるため、従来より、上下に開口するとともに、下端部に脚杆０３が遊嵌可能な切欠き０４が複数設けられた筒状の樹脂製カバーを、中央支柱０２の上方から挿入して、中央支柱０２と脚杆０３の固着部分と中央支柱０２の下端を覆うように取付けることで、前記固着部分が外部に露呈しないようにした脚部カバー０５がある。
【０００４】
【発明が解決しようとする課題】
しかしながら、上述のような脚部カバー０５は、中央支柱０２の上部から挿入して取付けるため、例えば、図７に示すように、中央支柱０２の側面にネジの固定部としての突起部０６等が設けられていると、脚部カバー０５が突起部０６に引っかかり、取付けることができないということがある。また、中央支柱０２の上部にフランジ等が形成されて拡径されている場合にも、脚部カバー０５を取付けることができない。
【０００５】
この場合、脚部カバー０５の突起部０６等や拡径部に対応する箇所に切欠きを設けて、この切欠き０７で突起部０６や拡径部を逃がすように通して取付けることが考えられるが、このようにすると、切欠き０７から、内方の固着部分が外部に露呈してしまうため、外観が悪くなりカバーとしての機能が損なわれるという問題がある。
【０００６】
本発明は、このような問題点に着目してなされたもので、中央支柱上部の形状に影響されることなく、脚杆と中央支柱との固着部分を確実に隠蔽可能な脚部カバーを提供することを目的としている。
【０００７】
【課題を解決するための手段】
上記目的を達成するために、本発明の脚部カバーは、テーブルにおける天板等の下部に設けられた中央支柱と、その下端近傍に一端が固着された脚杆と、からなる脚本体に対して、前記中央支柱と脚杆との固着部分を被冠する筒状の脚部カバーであって、
前記脚部カバーは、少なくとも縦方向に２ピースに分割可能に形成されるとともに、前記各ピースの分割面には、これら分割面をそれぞれ係合させるための係合手段が設けられていることを特徴としている。
この特徴によれば、分割された脚部カバーの各ピース同士を、中央支柱を側方から挟み込むように、互いの分割面同士を付き合わせ、係合手段を介して一体化することで、中央支柱に挿通した状態とすることができるので、中央支柱の側面に突起部が設けられていたり、上端部にフランジが形成されている中央支柱においても、それらを逃がすための切欠き等を設けることなく、脚部カバーを取付けることができ、中央支柱と脚杆との固着部分を体裁良く隠蔽することができる。
【０００８】
本発明の脚部カバーは、前記脚部カバーの下端には、前記脚杆に遊嵌可能な切欠きが形成され、この切欠きの開口近傍の縁部の少なくとも一方に、脚杆の下方に入り込む突出部が形成されていることが好ましい。
このようにすることで、脚部カバーの脚本体への取付け時において、前記突出部が脚杆の下方に入り込むため、脚部カバーに対して上方へ力が加わった際に、脚部カバーが取付け位置から上方に容易に移動して外れることがない。
【０００９】
本発明の脚部カバーは、前記係合手段が、弾性変形可能な爪部材で形成されていることが好ましい。
このようにすることで、各ピースそれぞれの分割面同士を付き合わせるだけで、爪部材同士が係合するため、各ピースを容易に一体的に組み立てることができる。
【００１０】
本発明の脚部カバーは、前記各ピースが、同形状の部材で構成され、各ピースの連結によって筒状の脚カバーが形成されるようになっていることが好ましい。このようにすることで、１種類のピースを製造し、それらを組み合わせることで、脚部カバーを構成できるので、部材の種類を減らすことができ、製造コストの削減を図ることができる。
【００１１】
【発明の実施の形態】
以下、本発明の実施例を図面に基づいて説明すると、まず図１には本実施例における脚部カバー１を、テーブル脚２に取付けた状態が示されており、図２には脚部カバー１の側面図が、図３には脚部カバー１を分割した状態が、図４には図１におけるＡ−Ａ断面図がそれぞれ示されている。
【００１２】
脚部カバー１は、合成樹脂からなる弾性部材を加工成形したものを用いており、上下が開口するとともに、上部が縮径する筒状に形成され、金属製の中央支柱３と、その下端近傍に一端が溶接により固着された４本の脚杆４と、から構成されるテーブル脚２における中央支柱３に対して上下方向に挿通できるようになっている。
【００１３】
脚部カバー１の下部には、図２に示すように、脚杆４と対応する箇所に、上部が脚杆４の縦断面形状とほぼ同形状に形成された下方に開口する４箇所の切欠き５が設けられている。この切欠き５の開口近傍における縁部の一方（図中中央側）には、切欠き５の開口対向縁に向かって突出部６が形成されている。
【００１４】
また、脚部カバー１は、図３に示すように、互いに隣接する切欠き５の間を通る垂直線で２つの半円弧形状のカバー部材１ａ、１ａにそれぞれ分割できるようになっている。
【００１５】
これら２つのカバー部材１ａ、１ａは、それぞれ同形状に形成されており、カバー部材１ａにおける分割面としての一方の端面７には、先端に外方に向く係止爪９ａを有する係止片９と係止溝１０とが上下方向に交互に設けられているとともに、他方の端面８における端面７の係止溝１０と同じ高さ位置には、係止溝１０に係合可能な係止爪１１ａを有する係止片１１が、また、端面７における係止片９と同じ高さ位置には、係止爪９ａが係合可能な係止溝１２がそれぞれ設けられている。
【００１６】
このように形成された２つのカバー部材１ａ、１ａを、図１及び図４に示すように、中央支柱３における調整ネジ１３の下方位置においてカバー部材１ａ、１ａ同士を、中央支柱３を挟み込むように互いの端面７、８同士を当接させ、係止溝１０に係止爪１１ａを、係止溝１２に係止爪９ａをそれぞれ係合させ、一体化することで、脚部カバー１を中央支柱３に挿通した状態となる。これを下方に移動し、各切欠き５を各脚杆４に嵌合させることで、脚部カバー１によりテーブル脚２における中央支柱３と脚杆４との溶接部分が隠蔽される。この時、脚部カバー１の一部が弾性変形して、突出部６が脚杆４の下方に入り込むようになっている。
【００１７】
以上のように形成される本実施例の脚部カバーにあっては、脚部カバー１が２つのカバー部材１ａ、１ａに分割可能で、これらカバー部材１ａ、１ａ同士を、中央支柱３を側方から挟み込むように、カバー部材１ａ、１ａの端面７、８同士を付き合わせ、係止片９、１１と掛止溝１０、１２との各々を係合させて一体化することで、中央支柱３に挿通した状態とすることができるので、中央支柱３の側面に突出部が設けられていたり、上端部にフランジが形成されている中央支柱においても、それらを逃がすための切欠き等を設けることなく、脚部カバー１を取付けることができ、中央支柱３と脚杆４との溶接部分を体裁良く隠蔽することができる。
【００１８】
また、切欠き５の開口近傍における縁部の一方（図２中中央側）に設けられた突出部６が、脚部カバー１のテーブル脚への取付け時に、脚杆４の下方に入り込むようになっているので、脚部カバー１の上方へ力が加わっても、脚部カバー１が取付位置から上方に容易に移動して外れることがない。
【００１９】
また、カバー部材１ａ、１ａ同士の係合手段が、先端に係止爪９ａ、１１ａが形成された弾性変形可能な係止片と、係止溝１０、１２とからなっているので、カバー部材１ａ、１ａの端面７、８同士を当接するだけの簡単な作業で、係止爪９ａ、１１ａが、各々対応する係止溝１０、１２に係合されるので、分割されたカバー部材１ａ、１ａ同士を一体的に組み立てることができる。
【００２０】
また、脚部カバー１は、２つのカバー部材１ａ、１ａを組み合わせて構成されているので、１種類の部材のみを製造すれば良く、製造コストの削減を図ることができる。
【００２１】
さらに、脚部カバー１が取り付けられたテーブル脚２自体を廃棄する際には、脚部カバー１を分割すれば、テーブル脚２とは別部材からなる脚部カバー１を、テーブル脚２から容易に分離できるので、手間をかけることなく、材質の異なる部材を分別廃棄することが可能である。
【００２２】
以上、本発明の実施例を図面に基づいて説明してきたが、具体的な構成はこのような実施例に限られるものではなく、本発明の要旨を逸脱しない範囲における変更や追加があっても本発明に含まれる。
【００２３】
例えば、本実施例における脚部カバー１は、中央で２つの同形状のカバー部材１ａ、１ａに分割できるようになっているが、少なくとも、取付け時に、中央支柱３の側方から挟み込むように一体化できるものであれば、３ピース以上に分割可能としても良い。
【００２４】
また、図５に示すように、中央支柱３に５本の脚杆４が設けられたテーブル脚２’において、これら脚杆４に対応した５箇所の切欠き５が設けられた脚部カバー１’であっても良く、切欠きの数、形状、形成位置等は特に限定されるものではない。
【００２５】
また、カバー部材１ａ、１ａ同士の係合手段として、各々に形成された係止溝とそれに係合する係止片が用いられているが、両者を一体的に取付けることができる係合手段であれば、その他の方法であっても良い。
【００２６】
また、切欠き５における端縁に形成される突出部６の形状、形成位置等は特に限定されるものではなく、種々に変形可能である。
【００２７】
【発明の効果】
本発明は以下の効果を奏する。
【００２８】
（ａ）請求項１の発明によれば、分割された脚部カバーの各ピース同士を、中央支柱を側方から挟み込むように、互いの分割面同士を付き合わせ、係合手段を介して一体化することで、中央支柱に挿通した状態とすることができるので、中央支柱の側面に突起部が設けられていたり、上端部にフランジが形成されている中央支柱においても、それらを逃がすための切欠き等を設けることなく、脚部カバーを取付けることができ、中央支柱と脚杆との固着部分を体裁良く隠蔽することができる。
【００２９】
（ｂ）請求項２の発明によれば、脚部カバーの脚本体への取付け時において、前記突出部が脚杆の下方に入り込むため、脚部カバーに対して上方へ力が加わった際に、脚部カバーが取付け位置から上方に容易に移動して外れることがない。
【００３０】
（ｃ）請求項３の発明によれば、各ピースそれぞれの分割面同士を付き合わせるだけで、爪部材同士が係合するため、各ピースを容易に一体的に組み立てることができる。
【００３１】
（ｄ）請求項４の発明によれば、１種類のピースを製造し、それらを組み合わせることで、脚部カバーを構成できるので、部材の種類を減らすことができ、製造コストの削減を図ることができる。
【図面の簡単な説明】
【図１】本発明の実施例における脚部カバーが、脚本体に取り付けられた状態を示す側面図である。
【図２】図１における脚部カバーの側面図である。
【図３】図１における脚部カバーが分割された状態を示す側面図である。
【図４】図１のＡ−Ａ断面図である。
【図５】本発明の実施例における脚部カバーの変形例を示す断面図である。
【図６】従来技術としての脚部カバーが脚本体に取り付けられた状態を示す斜視図である。
【図７】図６の脚部カバーを、脚本体の中央支柱の上端に挿通した状態を示す斜視図である。
【符号の説明】
１、１’脚部カバー
１ａ    カバー部材（ピース）
２、２’テーブル脚（脚本体）
３      中央支柱
４      脚杆
６      突出部
７、８  端面（分割面）
９      係止片（爪部材）
９ａ    係止爪
１０    係止溝
１１    係止片（爪部材）
１１ａ  係止爪
１２    係止溝
１３    調整ネジ
【図１】
0004275809.tif 000002
【図２】
0004275809.tif 000003
【図３】
0004275809.tif 000004
【図４】
0004275809.tif 000005
【図５】
0004275809.tif 000006
【図６】
0004275809.tif 000007
【図７】
0004275809.tif 000008